(57)【要約】【課題】  ケースの下面の開口の一部を閉じるための構造を非常に簡単なものにし、そのケースの下面の開口の一部を閉じる操作手順も手間のかからないものとし、しかもケースの下面が開き難く、商品が台紙ごと落下してしまうことのない包装体を提供する。【解決手段】  前面の下部に保護部１ｂを設けると共に、この保護部１ｂの上方を商品Ｓを収容する商品収容部１ｃとして形成した台紙１と、台紙１を内部に収納するケース２とからなり、前記ケース２の前面片２１と後面片２２の下端縁にそれぞれ折目線２１ｃ、２２ｃを介して設けた折返片２３、２４を、これら折返片２３、２４に設けた折目線２３ａ、２４ａから下方部どうしを接着したものとし、前記折目線２１ｃ、２２ｃを山折りにすると共に折目線２３ａ、２３ａを谷折りにして、折返片２３、２４をケース２内に折り込んだものにしている。【選択図】    図２
2005212858.tif 000002
【特許請求の範囲】
【請求項１】
前面の下部に保護部（１ｂ）を設けると共に、この保護部（１ｂ）の上方を商品（Ｓ）を収容する商品収容部（１ｃ）として形成した台紙（１）と、台紙（１）を内部に収納するケース（２）とからなり、前記ケース（２）の前面片（２１）と後面片（２２）の下端縁にそれぞれ折目線（２１ｃ、２２ｃ）を介して設けた折返片（２３、２４）を、これら折返片（２３、２４）に設けた折目線（２３ａ、２４ａ）から下方部どうしを接着したものとし、前記折目線（２１ｃ、２２ｃ）を山折りにすると共に折目線（２３ａ、２３ａ）を谷折りにして、折返片（２３、２４）をケース（２）内に折り込んだことを特徴とする包装体。
【請求項２】
前記商品収容部（１ｃ）に、商品（Ｓ）の移動や回転を防止する係止片（１６）を設けたことを特徴とする請求項１記載の包装体。
【請求項３】
前記ケース（２）を、透明合成樹脂製シートから形成されるものとし、その前面片（２１）の下端縁と後面片（２２）の下端縁を、それぞれ直線形状にしたことを特徴とする請求項１記載の包装体。
【発明の詳細な説明】
【技術分野】
【０００１】
この発明は、化粧品、化粧用具、文具などの商品を収納した状態で立てたり、または吊り下げたりすることができる包装体に関するものである。
【背景技術】
【０００２】
従来、この種の包装体としては、例えば図９に示したように、前面の上部と下部に保護突部３０ａ、３０ｂを設けると共に、上部と下部の保護突部３０ａ、３０ｂ間を商品を収容配置する商品収容部３０ｃとして形成した台紙３０と、台紙３０を内部に収納する透明ケース３１とを具備して成るものとしている（特許文献１）。
【０００３】
透明ケース３１は、透明な硬質プラスチックのシートなどで形成されるものであり、このシートを折り曲げて組み立てることによって、上下に開口させた形態に形成するようにしている。すなわち、図１０に示したように、折り目３２を介して前面片３３と背面片３４とに分割されるようにし、前面片３３の背面片３４と反対側の側端縁に接着片３５を設けている。前面片３３の上端縁は凹湾曲形状に、背面片３４の上端縁は凸湾曲形状にそれぞれ形成しており、さらに前面片３３と背面片３４の下端縁は直線に形成している。
【０００４】
前面片３３の上端縁には、上面蓋片３６を延出しており、さらに上面蓋片３６の上縁には差し込み片３７を延出している。前面片３３と上面蓋片３６の間の折り目３８は下方へ凸湾曲する円弧状に、上面蓋片３６と差し込み片３７の間の折り目３９は上方へ凸湾曲する円弧状に形成している。また、前面片３３の下端縁には折り返し片４０を延出しており、折り返し片４０からさらに底面蓋片４１を、さらに底面蓋片４１から差し込み４２を延出している。前面片３３と折り返し片４０の間の折り目４３は直線に、折り返し片４０と底面蓋片４１の間の折り目４４は上方へ凸湾曲する円弧状に、底面蓋片４１と差し込み４２の折り目４５は下方へ凸湾曲する円弧状に形成している。また、背面片３４の上端部には孔を設けてフック引掛け部４６を形成している。
【０００５】
透明ケース３１を組み立てるにあたっては、図１１、１２に示したように、接着片３５を折り目４７で折り曲げると共に、前面片３３と背面片３４を折り目３２で折り曲げ、背面片３４の前面片３３と反対側の端縁の裏側に接着片３５を接着することによって上下が開口する筒状にし、また折り返し片４０を前面片３３の裏側に折り返し、底面蓋片４１を折り返し片４０に対して直角に折り曲げると共に、差し込み片４２を底面蓋片４１に対して上側へ直角に折り曲げて透明ケース３１内に差し込むことによって、底面蓋片４１で透明ケース３１の下面の開口の一部を閉じる。さらに、上面蓋片３６を前面片３３の背方へ直角に折り曲げると共に、差し込み片３７を透明ケース３１内に差し込むことによって、上面蓋片３６で透明ケース３１の上面の開口の一部を閉じる。
【０００６】
このようにして透明ケース３１を組み立てることができると共に、透明ケース３１の上端と下端の開口を部分的に上面蓋片３６と底面蓋片４１で開閉自在に塞ぐことができるものであり、このとき上面蓋片３６と底面蓋片４１の両側端縁はそれぞれ凸湾曲した円弧状に形成されているので、上面蓋片３６と底面蓋片４１を透明ケース３１の上端と下端の開口に差し入れることによって、透明ケース３１は前面片３３と背面片３４がそれぞれ、台紙３０の上下の保護突部３０ａ、３０ｂの前面と背面と同じ曲率半径で、凸湾曲する曲面に保持されるように構成されている。
【０００７】
以上のように構成された従来の包装体は、商品Ｓが台紙３０の商品収容部３０ｃに収容されており、透明ケース３１の前面片３３を通して商品Ｓの全体を外部から視認することができる。ここで、商品Ｓは上方と下方が台紙３０の保護突部３０ａ、３０ｂで位置規制されていると共に保護されている。したがって、包装体を落としたりしても衝撃を保護突部３０ａ、３０ｂで緩衝して、商品Ｓに衝撃が加わることを防ぐことができ、商品Ｓが破損することを有効に防止することができるものとしている。
【特許文献１】特開２００２−３７０７７８号公報（第２、５頁、図１、９、１０）
【発明の開示】
【発明が解決しようとする課題】
【０００８】
しかしながら、従来の包装体では、透明ケース３１を組み立てるにあたり、上記したように透明ケース３１の下面の開口の一部を閉じるために施した構造が複雑であり、またその透明ケース３１の下面の開口の一部を閉じる操作手順が複雑で手間がかかるという課題を有していた。
【０００９】
さらに、従来の包装体では、台紙３０に収容した商品Ｓの荷重が透明ケース３１の底面蓋片４１に作用すると、差し込み片４２が透明ケース３１内から抜け出して底面蓋片４１が開き易く、場合によっては商品Ｓが台紙３０ごと落下してしまうことがある。そのため、透明ケース３１の下面の開口の一部を閉じる操作手順に、底面蓋片４１または差し込み片４２を接着テープ等で止めておくなどの手順が加わって、その操作手順がますます複雑で手間がかかるという課題を有していた。
【００１０】
そこで、この発明は、上記従来の課題を解決するものであり、落としたりしても衝撃を緩衝して、商品に衝撃が加わることを防ぐことができ、商品が破損することを有効に防止することができるようにした包装体において、ケースの下面の開口の一部を閉じるための構造を非常に簡単なものにし、そのケースの下面の開口の一部を閉じる操作手順も手間のかからないものとし、しかもケースの下面が開き難く、商品が台紙ごと落下してしまうことのない包装体を提供することを目的としてなされたものである。
【課題を解決するための手段】
【００１１】
そのため、この発明の包装体は、前面の下部に保護部１ｂを設けると共に、この保護部１ｂの上方を商品Ｓを収容する商品収容部１ｃとして形成した台紙１と、台紙１を内部に収納するケース２とからなり、前記ケース２の前面片２１と後面片２２の下端縁にそれぞれ折目線２１ｃ、２２ｃを介して設けた折返片２３、２４を、これら折返片２３、２４に設けた折目線２３ａ、２４ａから下方部どうしを接着したものとし、前記折目線２１ｃ、２２ｃを山折りにすると共に折目線２３ａ、２３ａを谷折りにして、折返片２３、２４をケース２内に折り込んだものにしている。
【００１２】
さらに、この発明の包装体は、前記商品収容部１ｃに、商品Ｓの移動や回転を防止する係止片１６を設けたものとしている。
【００１３】
また、この発明の包装体は、前記ケース２を、透明合成樹脂製シートから形成されるものとし、その前面片２１の下端縁と後面片２２の下端縁を、それぞれ直線形状にしている。
【発明の効果】
【００１４】
この発明の包装体は、以上に述べたように構成されているので、落としたりしても衝撃を緩衝して、商品に衝撃が加わることを防ぐことができ、商品が破損することを有効に防止することができるものとなる。そして、この発明の包装体は、ケースの下面の開口の一部を閉じるための構造が非常に簡単なものになり、そのケースの下面の開口の一部を閉じる操作手順も手間のかからないものになり、しかもケースの下面が開き難く、商品が台紙ごと落下してしまうことのないものとなる。
【発明を実施するための最良の形態】
【００１５】
以下、この発明の包装体の実施の形態を、図面に基づいて詳細に説明する。
【００１６】
図１は、この発明の包装体の全体斜視図を示しており、前面の上部と下部に保護部１ａ、１ｂを設けると共に、これら保護部１ａ、１ｂの間を商品Ｓを収容する商品収容部１ｃとして形成した台紙１と、台紙１を内部に収納するケース２とからなる。図示したものは、台紙１の前面の上部と下部に保護部１ａ、１ｂを設けたものとしているが、台紙１の前面の下部のみに保護部１ｂを設けたものとしてもよい。この場合、前記商品収容部１ｃは、保護部１ｂの上方となる。前記ケース２の前面片２１と後面片２２の下端縁には、それぞれ折り目２１ｃ、２２ｃを介して折返片２３、２４を設けている。これら折返片２３、２４は、水平に略二等分する位置に設けた折り目２３ａ、２４ａから下方の略下半部どうしを接着したものとしている。そして、前記折り目２１ｃ、２２ｃを山折りにする共に折り目２３ａ、２４ａを谷折りにして、折返片２３、２４をケース２内に折り込んだものとしている。
【００１７】
台紙１は、商品Ｓを保護するのに十分な強度を有する厚紙などで形成しており、この厚紙を折り曲げて組み立てることによって、上部と下部に前記保護部１ａ、１ｂを設けたものとしている。図３は台紙１の展開状態を示しており、前面片１１の一側端縁には折り目１１ａを介して後面片１２が設けられ、前面片１１の他側端縁には折り目１１ｂを介して接着片１３が設けられている。
【００１８】
前面片１１の上下端縁は、それぞれ直線形状にしている。前面片１１の上部には、上方へ凸湾曲する円弧状の折り目１１ｃが設けられると共に、この折り目１１ｃの両端を端縁として下方へ凸湾曲する円弧状の切り目１４が設けられている。さらに、前記切り目１４には、中央部から下方にかけ、折り目１１ｄを介して、後に述べる円弧状の切り目１５を分断するようにして、下方へ延出する係止片１６を形成するための切り目１７が連設されている。そして、前面片１１の下部には、下方へ凸湾曲する円弧状の折り目１１ｅが設けられると共に、この折り目１１ｅの両端を端縁として上方へ凸湾曲する前記円弧状の切り目１５が設けられている。また、後面片１２の上端縁は下方へ凸湾曲する円弧形状にしており、後面片１２の下端縁は直線形状にしており、後面片１２の略中央部には円形の覗き孔１８を設けたものとしている。この覗き孔１８は、商品収容部１ｃに商品Ｓが収容されているかを、またはその収容されている商品Ｓのロット番号などを、後面片１２側から確認できるようにしたものであるが、特に設けていなくてもよい。
【００１９】
このようにした台紙１を組み立てるには、接着片１３を折り目１１ｂで折り曲げると共に、前面片１１と後面片１２を折り目１１ａで折り曲げ、後面片１２の前面片１１と反対側の端縁の裏側に接着片１３を接着することによって上下が開口する筒状体にする。そして、前面片１１の折り目１１ｃを山折りにして切り目１４端を後面片１２の内側に押し当てることにより前記保護部１ａが形成され、さらに前面片１１の折り目１１ｅを山折りにして切り目１５端を後面片１２の内側に押し当てることにより前記保護部１ｂが形成され、台紙１は、横断面が凸レンズ形状となるような筒状体に保形される。したがって、このようにして台紙１を組み立てると、前記保護部１ａ、１ｂ間に、商品Ｓを収容する商品収容部１ｃが形成される。また、前記保護部１ａ、１ｂが形成されることにより、この商品収容部１ｃには、フラップ１９、１９が形成されるものとなる。これらフラップ１９、１９は、商品収容部１ｃに商品Ｓを収容した場合に、その商品Ｓの緩衝材となる。さらに、前記係止片１６は、折り目１１ｄを谷折りにし、この係止片１６の略中央に設けた折り目１６ａをさらに谷折りにして、その先端部を商品Ｓの容器と蓋の間などに差し込んで、商品Ｓの移動や回転を防止するものとしている。なお、この係止片１６は、商品収容部１ｃに収容する商品Ｓが移動や回転し難いものであれば、特に設ける必要はない。
【００２０】
ケース２は、ポリエチレン、ポリプロピレン、ポリエチレンテレフタレートなどの合成樹脂で形成されるのが、強度性や防水性などの面で好ましいが、合成樹脂に限定されるものではなく、厚紙などで形成してもよいことは言うまでもない。また、ケース２は、透明であっても不透明であってもよいが、商品Ｓの形態などをケース２の外から確認できるようにするには透明であるのが好ましい。図示したケース２は、透明合成樹脂製シートから形成されており、このシートを折り曲げて組み立てることによって、上下を開口させたものとしている。図６はケース２の展開状態を示しており、前面片２１の一側端縁には折り目２１ａを介して後面片２２が設けられ、前面片２１の他側端縁には折り目２１ｂを介して接着片２５が設けられている。
【００２１】
前面片２１の上下端縁は、それぞれ直線形状にしている。また、後面片２２の上端縁は、上方へ凸湾曲する円弧形状にしており、後面片２２の下端縁は、直線形状にしている。そして、後面片２２の上端縁の両側端から下方へ凸湾曲する円弧状の折り目２２ｂが設けられている。この折り目２２ｂの略中央部の直ぐ下方には、吊下片２６を形成するための切り目２７が折り目２６ａを介してが設けられている。吊下片２６には、吊り下げ用の孔２８が形成されている。そして、前面片２１と後面片２２の下端縁には、前記したようにそれぞれ折り目２１ｃ、２２ｃを介して折返片２３、２４が設けられている。これら折返片２３、２４には、水平に略二等分する位置に折り目２３ａ、２４ａが設けられている。また、前記折返片２３、２４は、それぞれの長さを略同一長にしており、それぞれの横幅を略同一幅としている。図示したものは、折返片２３、２４の横幅をそれぞれ前面片２１と後面片２２の横幅の略１／３にしたものとしているが、略１／３より大きくしても小さくしてもよい。なお、前記折返片２３、２４は、場合によっては、それぞれの横幅を略同一幅としなくてもよく、またそれぞれの長さを略同一長にしなくてもよい。
【００２２】
このようにしたケース２を組み立てるには、接着片２５を折り目２１ｂで折り曲げると共に、前面片２１と後面片２２を折り目２１ａで折り曲げ、後面片２２の前面片２１と反対側の端縁の裏側に接着片２５を接着することによって上下が開口する筒状体にする。次に、折返片２３、２４の折り目２３ａ、２４ａから下方の略下半部どうしを接着する。そして、折返片２３、２４の折り目２１ｃ、２２ｃを山折りにする共に折り目２３ａ、２４ａを谷折りにして、折返片２３、２４をケース２内に折り込んだものにする。このようにすることにより、ケース２の下面に一部が、これら折返片２３、２４によって容易に閉じられることになる。さらに、後面片２２の折り目２２ｂを山折りにして、後面片２２の上端縁を前面片２１の内側に押し当てることにより上蓋部２ａが形成され、ケース２は、横断面が凸レンズ形状となるような筒状体に保形される。
【００２３】
そして、この発明の包装体は、前記台紙１をケース２内に差し込んで収納することによって、組み立てられる。すなわち、前記したように組み立てられた台紙１の商品収容部１ｃに商品Ｓを収容した状態で、ケース２の後面片２２の折り目２２ｂの山折りを元に戻して、上蓋部２ａを開けた状態にして、台紙１をケース２内に差し込み、台紙１の前面片１１と後面片１２のそれぞれの下端縁が、ケース２の前面片２１と後面片２２のそれぞれの下端縁に重なるようにする。そして、前記後面片２２の折り目２２ｂを再び山折りにして、ケース２の上蓋部２ａを閉じた状態にする。なお、この後面片２２の折り目２２ｂは、ケース体２を組み立てるときには谷折りすることなくそのままにしておき、前記台紙１をケース２内に差し込んでから初めて山折りにして、ケース２の上蓋部２ａを閉じた状態にしてもよい。
【００２４】
このような状態では、図２に示したように、ケース２内に折り込んだ折返片２３、２４が、ケース２の下面の開口の一部を閉じるものとなり、これら折返片２３、２４の折り目２３ａ、２４ａが台紙１の保護部１ｂの下方に位置するようになる。したがって、このような状態で、この発明の包装体を立てたり、吊り下げておけば、台紙１がケース２から抜け落ちるようなことがなく、商品Ｓが台紙１ごと落下してしまうようなこともない。なお、この発明の包装体を吊り下げ状態にするには、ケース２の後面片２２に設けた折り目２６ａに沿って上方へ折り返せば吊下片２６が形成されるので、この吊下片２６を売り場の展示用フックなどに引っ掛けておけばよい。
【図面の簡単な説明】
【００２５】
【図１】この発明の包装体の一実施形態を示す斜視図である。
【図２】図１中のＡ−Ａによるこの発明の包装体の断面図である。
【図３】この発明の包装体の台紙の展開図である。
【図４】この発明の包装体の台紙の正面図である。
【図５】この発明の包装体の台紙の側面図である。
【図６】この発明の包装体のケースの展開図である。
【図７】この発明の包装体のケースの正面図である。
【図８】この発明の包装体のケースの側面図である。
【図９】従来の包装体の一例を示す斜視図である。
【図１０】従来の包装体のケースの展開図である。
【図１１】従来の包装体のケースの正面図である。
【図１２】従来の包装体のケースの側面図である。
【符号の説明】
【００２６】
１  台紙
１ｂ  保護部
１ｃ  商品収容部
２  ケース
２１  前面片
２１ｃ  折り目
２２  後面片
２２ｃ  折り目
２３  折返片
２３ａ  折り目
２４  折返片
２４ａ  折り目
Ｓ  商品
【図１】
2005212858.tif 000003
【図２】
2005212858.tif 000004
【図３】
2005212858.tif 000005
【図４】
2005212858.tif 000006
【図５】
2005212858.tif 000007
【図６】
2005212858.tif 000008
【図７】
2005212858.tif 000009
【図８】
2005212858.tif 000010
【図９】
2005212858.tif 000011
【図１０】
2005212858.tif 000012
【図１１】
2005212858.tif 000013
【図１２】
2005212858.tif 000014